(57)【要約】【課題】  アウターシューズにインナーシューズを挿脱可能にしたシューズにおいて、インナーシューズがアウターシューズ内で滑動しないようにする。【解決手段】  前方部に第１止着ベルト４の基端部４１を取り付けたインナーシューズ３をアウターシューズ２内に挿入し、第１止着ベルト４をアウターシューズ２の開口部２２から出した後、アウターシューズ２の甲被部２３に設けた止着部４４に着脱自在に締結する。【選択図】図１
2007050157.tif 000002
【特許請求の範囲】
【請求項１】
アウターシューズにインナーシューズを挿脱可能にしたシューズにおいて、インナーシューズの前方部に第１止着ベルトの基端部を取り付け、インナーシューズをアウターシューズに挿入し、前記第１止着ベルトをアウターシューズの開口部から出した後、アウターシューズ甲被部に設けた止着部に着脱自在に締結するようにしたシューズ。
【請求項２】
アウターシューズにインナーシューズを挿脱可能にしたシューズにおいて、
アウターシューズ甲被部の第２止着ベルトは、基端部を甲被部に取り付けられ、先端部はシューズの長手方向に略直行するように開口部を越えて延設され、かつ、前記開口部位置において長穴を有しており、
インナーシューズ前方部に基端部を取り付けられた第１止着ベルトは、インナーシューズをアウターシューズに挿入した後、前記第２止着ベルトの長穴に挿入できるように、前記第２止着ベルトとはシューズ長手方向を中心線として略対称な位置に配置されており、
前記第１止着ベルトを第２止着ベルトに挿入した後、両ベルトの先端部をアウターシューズ甲被部に設けた止着部に着脱自在に締結するようにしたシューズ。
【請求項３】
アウターシューズにインナーシューズを挿脱可能にしたシューズにおいて、
アウターシューズ甲被部の第２止着ベルトは、基端部を甲被部に取り付けられ、先端部はシューズの長手方向に略直行するように開口部を越えて延設されており、
インナーシューズ前方部に基端部を取り付けられた第１止着ベルトは、基端部近傍位置に長穴を有しており、インナーシューズをアウターシューズに挿入した後、前記第２止着ベルトが、前記第１止着ベルトの長穴に挿入できるように、前記第２止着ベルトとはシューズ長手方向を中心線として略対称な位置に配置されており、
前記第２止着ベルトを第１止着ベルトに挿入した後、両ベルトの先端部をアウターシューズ甲被部に設けた止着部に着脱自在に締結するようにしたシューズ。
【請求項４】
インナーシューズの踵後部に止着ベロを取り付け、前記止着ベロをアウターシューズの踵甲被部に設けた止着部に着脱自在に締結するようにした請求項1乃至３のいずれか１項に記載のシューズ。
【請求項５】
インナーシューズの踵後部にはループ体を、アウターシューズの踵後部には止着ベロを取り付け、前記ループ体を前記止着ベロに通した後、前記止着ベロをアウターシューズの踵甲被部に設けた止着部に着脱自在に締結するようにした請求項1乃至３のいずれか１項に記載のシューズ。
【発明の詳細な説明】
【技術分野】
【０００１】
本発明は、アウターシューズにインナーシューズを挿脱可能にしたシューズにおいて、インナーシューズがアウターシューズ内で滑動しないようにしようとするものである。
【背景技術】
【０００２】
従来から、シューズをアウターシューズとインナーシューズとから構成し、インナーシューズをアウターシューズ内に挿脱可能にしたものは、存在する。
そのようなシューズの典型例はスキー靴で、アウターシューズを硬いプラスチックで造り、インナーシューズを柔らかいスポンジ等で造ることによって、履き心地とフィット性とを確保しようとしている。
【０００３】
同様に、一般的なスポーツシューズにおいても、アウターシューズとインナーシューズとから構成したシューズは存在した。
このような構成にするのは、履用を繰り返すことによって汗がインナーシューズに付着し、細菌が発生し、色が黒ずんでくるとともに不快な臭いが発生しても、インナーシューズのみを取り出して洗濯したり、新しいインナーシューズに交換したりすれば、前記問題点を解消できるからであった。
例えば、特許第２７５７１１４号の段落〔０００７〕から段落〔００１０〕や、特開平８−１３１２０１号の段落〔００２９〕には、このような問題点と解決方法が記載されている。
【０００４】
しかし、特許第２７５７１１４号や特開平８−１３１２０１号においても、アウターシューズ内におけるインナーシューズの動きには何らの考慮もされていない。
すなわち、インナーシューズはフィット性向上のために比較的柔らかい素材が用いられるが、その結果、激しい運動時に使用されると、インナーシューズがアウターシューズ内で滑動してしまい、履き心地の悪いシューズとなってしまうという問題点が生じている。
【０００５】
また、出願人は、特開２００３−１２５８０５号で開示したように、シューズの甲締め機構において、簡便で強固に甲締めを行うことができ、フィット性も向上する発明をした。
そこで、この考え方をアウターシューズとインナーシューズとからなるシューズにも応用できないかと考えた。
【０００６】
【特許文献１】特許第２７５７１１４号
【特許文献２】特開平８−１３１２０１号
【特許文献３】特開２００３−１２５８０５号
【発明の開示】
【発明が解決しようとする課題】
【０００７】
本発明は、アウターシューズとインナーシューズとからなるシューズにおいて、激しい運動を繰り返しても、インナーシューズがアウターシューズ内で滑動することがなく、履き心地が向上したシューズを提供しようとするものである。
【課題を解決するための手段】
【０００８】
請求項１の発明は、アウターシューズにインナーシューズを挿脱可能にしたシューズにおいて、インナーシューズの前方部に第１止着ベルトの基端部を取り付け、インナーシューズをアウターシューズに挿入し、前記第１止着ベルトをアウターシューズの開口部から出した後、アウターシューズ甲被部に設けた止着部に着脱自在に締結するようにしたシューズである。
【０００９】
請求項１の発明では、インナーシューズとアウターシューズとを、第１止着ベルトによって締結するようにしたので、インナーシューズがアウターシューズ内で滑動することが少なくなる。
従って、激しい運動時に使用しても、履き心地が悪くなることはない。
【００１０】
請求項２の発明では、アウターシューズにインナーシューズを挿脱可能にしたシューズにおいて、アウターシューズ甲被部の第２止着ベルトは、基端部を甲被部に取り付けられ、先端部はシューズの長手方向に略直行するように開口部を越えて延設され、かつ、前記開口部位置において長穴を有しており、インナーシューズ前方部に基端部を取り付けられた第１止着ベルトは、インナーシューズをアウターシューズに挿入した後、前記第２止着ベルトの長穴に挿入できるように、前記第２止着ベルトとはシューズ長手方向を中心線として略対称な位置に配置されており、前記第１止着ベルトを第２止着ベルトに挿入した後、両ベルトの先端部をアウターシューズ甲被部に設けた止着部に着脱自在に締結するようにしたシューズとした。
【００１１】
請求項２の発明においては、第１止着ベルト、第２止着ベルトの２本の止着ベルトを用いてインナーシューズをアウターシューズ内に固定している。
しかも、インナーシューズの第１止着ベルトは、アウターシューズの第２止着ベルトの長穴に挿入し、その後、両ベルトの先端部をアウターシューズ甲被部に設けた止着部に締結するようにしたので、インナーシューズのアウターシューズ内での固定は確実となり、さらにインナーシューズが滑動することがなくなる。
【００１２】
請求項３の発明は、アウターシューズにインナーシューズを挿脱可能にしたシューズにおいて、アウターシューズ甲被部の第２止着ベルトは、基端部を甲被部に取り付けられ、先端部はシューズの長手方向に略直行するように開口部を越えて延設されており、インナーシューズ前方部に基端部を取り付けられた第１止着ベルトは、基端部近傍位置に長穴を有しており、インナーシューズをアウターシューズに挿入した後、前記第２止着ベルトが、前記第１止着ベルトの長穴に挿入できるように、前記第２止着ベルトとはシューズ長手方向を中心線として略対称な位置に配置されており、前記第２止着ベルトを第１止着ベルトに挿入した後、両ベルトの先端部をアウターシューズ甲被部に設けた止着部に着脱自在に締結するようにしたシューズである。
【００１３】
請求項３の発明は、請求項２の発明とは、第１止着ベルトと第２止着ベルトの構造が逆になっている点のみが相違し、その他は同一の構成である。
従って、請求項３の発明も請求項２の発明と同様、インナーシューズのアウターシューズ内での固定は確実となり、さらにインナーシューズが滑動することがなくなる。
【００１４】
請求項４の発明は、インナーシューズの踵後部に止着ベロを取り付け、前記止着ベロをアウターシューズの踵甲被部に設けた止着部に着脱自在に締結するようにしたシューズである。
【００１５】
請求項４の発明においては、インナーシューズは、シューズ前方の第１止着ベルト、あるいは第１止着ベルトと第２止着ベルトだけでなく、踵後部の止着ベロにも締結されているので、インナーシューズのアウターシューズ内での固定はさらに確実となって、インナーシューズがアウターシューズ内で滑動することがなくなる。
【００１６】
請求項５の発明は、インナーシューズの踵後部にはループ体を、アウターシューズの踵後部には止着ベロを取り付け、前記ループ体を前記止着ベロに通した後、前記止着ベロをアウターシューズの踵甲被部に設けた止着部に着脱自在に締結するようにした請求項1乃至３のいずれか１項に記載のシューズである。
【００１７】
請求項５の発明においても、請求項４の発明と同様に、インナーシューズはループ体を介して踵後部の止着ベロにも締結されているので、インナーシューズのアウターシューズ内での固定はさらに確実となって、インナーシューズがアウターシューズ内で滑動することがなくなる。
【発明の効果】
【００１８】
以上のように、本発明によれば、インナーシューズがアウターシューズ内に確実に固定できるので、激しい運動時に使用しても、インナーシューズがアウターシューズ内を滑動することがなくなり、シューズの履き心地とフィット感が格段に向上する。
もちろん、インナーシューズはアウターシューズから挿脱可能になっているので、インナーシューズが汚れたり汗臭くなったりした場合は、これを取り出して洗濯することができ、さらには新しいインナーシューズに取り替えることもできるので、常に清潔なインナーシューズを用いることができる。
【発明を実施するための最良の形態】
【００１９】
以下、本発明の実施例を添付図面に基づいて説明する。
〈第１の実施例〉
図１乃至図２は、本発明の第１の実施例である。
図１は、インナーシューズをアウターシューズに挿入した状態の斜視図、図２は、インナーシューズをアウターシューズから取り出した状態の斜視図で、図２（ａ）はアウターシューズの斜視図、（ｂ）はインナーシューズの斜視図である。
【００２０】
図１に示すように、本発明のシューズ１は、アウターシューズ２とインナーシューズ３とから構成されている。
アウターシューズは、通常のシューズと同様に、接地面側にはソール２１を有し、靴前部には開口部２２を有している。
そして、図２に示すように、インナーシューズ３はアウターシューズ２から挿脱可能になっている。
【００２１】
インナーシューズ３は、その前方部に第１止着ベルト４を有している。
第１止着ベルト４は、基端部４１をインナーシューズに縫着、接着等の方法で取り付けられている。また、その先端部４２には、止着体４３が取り付けられている。
【００２２】
アウターシューズ２の甲被部２３には、インナーシューズ３をアウターシューズ２に挿入した場合において、第１止着ベルト４をアウターシューズ２の開口部２２から出した位置に、止着部４４を設けている。
第１止着ベルト４は、その先端部４２の止着体４３が、アウターシューズ２の甲被部２３の止着部４４に着脱自在に締結できるようになっている。第１止着ベルト４は、アウターシューズ２の止着部４４に着脱自在に締結できさえすれば、その取り付け位置は限定されることがない。
【００２３】
本実施例では、インナーシューズ３とアウターシューズ２とを、第１止着ベルト４によって締結するようにしたので、インナーシューズ３がアウターシューズ２内で滑動することが少なくなる。
従って、激しい運動時に使用しても、履き心地が悪くなることはない。
また、インナーシューズ３が汚れたり汗臭くなったりした場合は、これを取り出して洗濯することができ、さらには新しいものと取り替えることもできるので、常に清潔なインナーシューズ３を提供することもできる。
【００２４】
なお、本実施例では、アウターシューズ２の開口部２２を締めるためのベルト体６をさらに設けている。
ベルト体６は、その先端部の止着体６１が、アウターシューズ２の甲被部２３の止着部６２に着脱自在に締結できるようになっている。
この構成は本発明に必須のものではなく、ここを従来のシューズのように紐締め構造とすることもできる。
【００２５】
また、図示はしないが、第１止着ベルト４をインナーシューズ３の前方部であって、図１に示す位置よりも履き口に近い方に取り付ければ、アウターシューズ２２の開口部２２を締めるためのベルト体６は逆に開口部２２の履き口側に設けることになる。
この結果、図１の第１止着ベルト４とベルト体６との位置が、開口部２２の長手方向において前後することになるが、このように構成することも可能である。
【００２６】
インナーシューズ３の素材としては、各種編物、織布、不織布、人造皮革、天然皮革などを用いることができるが、編物の一種であるメッシュ素材が通気性も高く好ましい。
インナーシューズ３は、前記素材だけで構成しても良いが、ＥＶＡスポンジ、ラバースポンジ、ウレタンスポンジ等のスポンジ素材で出来たインナーソール材を、接着、縫着、ダイレクトインジェクション等の方法で底部に取り付けることにより、履いたときの安定感が増してさらに好ましいインナーシューズ３となる。
第１止着ベルト４の止着方法としては、図面では面ファスナーを使用しているが、ボタンやバックル等を使用することもできる。
【００２７】
〈第２の実施例〉
図３乃至図４は、本発明の第２の実施例である。
図３は、インナーシューズをアウターシューズに挿入した状態の斜視図、図４は、インナーシューズをアウターシューズから取り出した状態の斜視図で、図４（ａ）はアウターシューズの斜視図、（ｂ）はインナーシューズの斜視図である。
なお、図３乃至図４においては、図１乃至図２と同じ作用を奏する部分は同一の符号を用いている。
【００２８】
アウターシューズ２の甲被部２３には、第２止着ベルト５が存在する。
第２止着ベルト５は、図面の実施例では、アウターシューズ２の甲被部２３が延長されることにより構成されている。第２止着ベルト５は、このようにアウターシューズ材を裁断するときから設計に組み込むこともできるが、別体にした第２止着ベルト５の基端部５１を縫着、接着等の方法で、アウターシューズ２の甲被部２３に取り付けることにより構成することもできる。
【００２９】
第２止着ベルト５の先端部５２はシューズ１の長手方向に略直行するように開口部２２を越えて延設されている。
さらに、開口部２２位置において、長穴５６を有している。図面の実施例では、第２止着ベルト５を基端部５１方向に向かって二股とすることにより長穴５６としている。長穴５６は、図面のように二股とするだけでなく、第１止着ベルト４が挿入できれば良いので、第２止着ベルト５の基端部５１方向を幅広としてそこに長穴５６を設けるようなこともできる。
なお、その先端部５２には、止着体５３が取り付けられている。
【００３０】
インナーシューズ３の前方部には、第１止着ベルト４が存在する。
第１止着ベルト４は、基端部４１を縫着、接着等の方法で、インナーシューズ３に取り付けられている。また、第１止着ベルト４は、インナーシューズ３をアウターシューズ２に挿入した後、第２止着ベルト５の長穴５６に挿入できるように、第２止着ベルト５とはシューズ１長手方向を中心線として略対称な位置に配置されている。
【００３１】
第１止着ベルト４を第２止着ベルト５に挿入した後、第１止着ベルト４の先端部４２の止着体４３はアウターシューズ２の甲被部２３の止着部４４に、第２止着ベルト５の先端部５２の止着体５３はアウターシューズ２の甲被部２３の止着部５４に、それぞれ着脱自在に締結するように構成されている。
従って、止着部４４と止着部５４とは、アウターシューズ２の開口部２２をはさんで（シューズ１長手方向を中心線として）対称な位置に配置されている。
【００３２】
第２の実施例では、第１止着ベルト４と第２止着ベルト５とは、シューズ１の長手方向を中心線として略直行する同一位置に存在することになるので、第１止着ベルト４の先端部４２と第２止着ベルト５の先端部５２とを左右対称方向に引っ張れば、足甲部を効果的に締めることができる。
そして、第１止着ベルト４の止着体４３はアウターシューズ２の甲被部２３の止着部４４に、第２止着ベルト５の止着体５３はアウターシューズ２の甲被部２３の止着部５４に、それぞれ締結すれば、インナーシューズ３はアウターシューズ２に強固に固定されることになる。
【００３３】
請求項２の発明においては、第１止着ベルト４と第２止着ベルト５の２本の止着ベルトを用いてインナーシューズ３をアウターシューズ２内に固定することになる。
しかも、インナーシューズ３の第１止着ベルト４は、アウターシューズ２の第２止着ベルト５の長穴５６に挿入し、その後、両ベルトの先端部４２、５２の止着体４３、５３をアウターシューズ２の甲被部２３に設けた止着部４４、５４に締結するようにしたので、インナーシューズ３のアウターシューズ２内での固定は確実となり、さらにインナーシューズ３が滑動することがなくなる。
【００３４】
本実施例では、アウターシューズ２の開口部２２を締めるために、ベルト体７、８をさらに設けている。
ベルト体７、８は、図面の実施例では、アウターシューズ２の甲被部２３が延長されることにより構成されているが、これは別体のベルト体７、８をアウターシューズ２の甲被部２３に縫着・接着等することにより構成することもできる。
ベルト体７、８は、シューズ１長手方向を中心線として略直行する同一位置に設けられている。また、ベルト体８には、長穴８６が設けられている。
そして、ベルト体７をベルト体８の長穴８６に挿入し、ベルト体７の先端部７２、ベルト体８の先端部８２を左右対称方向に引っ張れば、開口部２２を締めることができる。
その後、ベルト体８の先端部８２の止着体８３をアウターシューズ２の甲被部２３の止着部８４に止着し、ベルト体７の先端部７２の止着体７３をアウターシューズ２の甲被部２３の止着部（図示せず）に止着すれば、その締結は確実となって、開口部２２を確実に締めることができる。
この構成は本発明に必須のものではなく、従来のシューズのように紐締め構造としたり、図１及び図２に示すような１本のベルト体としたりすることも任意である。
【００３５】
また、図示はしないが、第１止着ベルト４と第２止着ベルト５を、図３に示す位置よりも履き口に近い方に取り付ければ、アウターシューズ２２の開口部２２を締めるためのベルト体７、８は逆に開口部２２の履き口側に設けることになる。
この結果、図３の第１止着ベルト４・第２止着ベルト５とベルト体７、８との位置が、開口部２２の長手方向において前後することになるが、このように構成することも可能である。
【００３６】
〈第３の実施例〉
第３の実施例は図示しないが、第２の実施例とは、第１止着ベルトと第２止着ベルトの構造が逆になっている点のみが相違し、その他は同一の構成である。
具体的には、第３の実施例では、インナーシューズ前方部の第１止着ベルトが基端部近傍位置において長穴を有しており、アウターシューズの第２止着ベルトには長穴がない。
使用に際しては、アウターシューズの第２止着ベルトを、インナーシューズの第１止着ベルトの長穴に挿入して、それぞれの先端部を対称方向に引っ張ることにより、足甲部を締めるものである。
この実施例においても、第２の実施例同様、インナーシューズのアウターシューズ内での固定を確実することができ、インナーシューズが滑動することがなくなる。
【００３７】
〈第４の実施例〉
第４の実施例は、前記した第１から第３の実施例に追加して実施することができるものである。
第４の実施例を図５に示す。図５は、本発明シューズ１を踵部から見た図である。
【００３８】
インナーシューズ３の踵後部には、止着ベロ９を取り付ける。
止着ベロ９には、止着体９３が設けられ、この止着体９３をアウターシューズ２の踵甲被部に設けた止着部９４に着脱自在に締結するものである。
止着方法として、図５では面ファスナーを使用しているが、ボタンやバックル等を使用することもできる。
【００３９】
第４の実施例では、インナーシューズ３は、シューズ前方の第１止着ベルト４、あるいは第１止着ベルト４と第２止着ベルト５だけでなく、踵後部の止着ベロ９にも締結されているので、インナーシューズ３はアウターシューズ２内を前方に滑動することはなくなる。
従って、インナーシューズ３のアウターシューズ２内での固定はさらに確実となって、インナーシューズ３がアウターシューズ２内で滑動することを防止できるものである。
【００４０】
〈第５の実施例〉
第５の実施例も、前記した第１から第３の実施例に追加して実施することができるものである。
第５の実施例を図６に示す。図６は、本発明シューズ１を踵部から見た図である。
【００４１】
インナーシューズ３の踵後部にはループ体９５を取り付ける。次に、アウターシューズ２の踵後部には止着ベロ９を取り付ける。
インナーシューズ３をアウターシューズ２に挿入した後、インナーシューズ３のループ体９５をアウターシューズ２に取り付けた止着ベロ９に通した後、止着ベロ９の止着体９３をアウターシューズ２の踵甲被部に設けた止着部９４に着脱自在に締結する。
このようにすれば、インナーシューズ３をループ体９５を介してアウターシューズ２に固定することができる。
止着方法としては、面ファスナー、ボタンやバックル等を使用することができる。
【００４２】
第５の実施例においても第４の実施例同様、インナーシューズ３は、シューズ前方の第１止着ベルト４、あるいは第１止着ベルト４と第２止着ベルト５だけでなく、踵後部の止着ベロ９にも締結されることになるので、インナーシューズ３はアウターシューズ２内を前方に滑動することはなくなる。
従って、インナーシューズ３のアウターシューズ２内での固定はさらに確実となって、インナーシューズ３がアウターシューズ２内で滑動することを防止できるものである。
【図面の簡単な説明】
【００４３】
【図１】本発明を実施したシューズの斜視図である。
【図２】図１のシューズにおいて、インナーシューズをアウターシューズから取り出した状態を示す斜視図である。
【図３】本発明の他の実施例を示す斜視図である。
【図４】図３のシューズにおいて、インナーシューズをアウターシューズから取り出した状態を示す斜視図である。
【図５】本発明のシューズを踵部から見た図である。
【図６】本発明のシューズを踵部から見た別の実施例を示す図である。
【符号の説明】
【００４４】
１    シューズ
２    アウターシューズ
２２  開口部
３    インナーシューズ
４    第１止着ベルト
４１  基端部
４２  先端部
４３  止着体
４４  止着部
５    第２止着ベルト
５１  基端部
５２  先端部
５３  止着体
５４  止着部
５６  長穴
６    ベルト体
７    ベルト体
８    ベルト体
９    止着ベロ
９３  止着体
９５  ループ体
９４  止着部
【図１】
2007050157.tif 000003
【図２】
2007050157.tif 000004
【図３】
2007050157.tif 000005
【図４】
2007050157.tif 000006
【図５】
2007050157.tif 000007
【図６】
2007050157.tif 000008